【手続補正書】
【提出日】平成17年4月12日(2005.4.12)
【手続補正１】
【補正対象書類名】特許請求の範囲
【補正対象項目名】全文
【補正方法】変更
【補正の内容】
【特許請求の範囲】
【請求項１】
メッセージング・システムを備えるプレゼンス・アウェア通信システムであって、該メッセージング・システムは、
（ａ）加入者の通信デバイスと前記メッセージング・システムとの間のメッセージング・セッション中に前記加入者の通信デバイスに着信連絡に関する情報を与える動作と、
（ｂ）前記加入者の通信デバイスが使用可能であることの通知が受信される時に、１つまたは複数のメッセージに関する情報を含むテキスト・メッセージを前記加入者の通信デバイスに与える動作と、
（ｃ）前記メッセージング・システムによって受信される異なる第１当事者からの音声メッセージに関するテキスト・メッセージを前記加入者の通信デバイスに与える動作と、
（ｄ）前記加入者の通信デバイスが入力された電話番号およびアドレスの少なくとも１つを用いる接続を要求することに応答して、入力された電話番号およびアドレスの少なくとも１つに関連する第２当事者からの少なくとも１つの適格のメッセージに関する通知を前記加入者の通信デバイスに与える動作と、
（ｅ）前記加入者と異なる第３当事者との間の連絡が進行中である間に、前記第３当事者からの少なくとも１つの適格のメッセージに関する情報を前記加入者の通信デバイスに与える動作と、
（ｆ）前記メッセージング・システムと、連絡する当事者の前記通信デバイスとの間のオーディオ・メッセージング・セッションを、グラフィカル・ユーザ・インターフェースベースのオーディオ・セッションに変換する動作と、
（ｇ）前記オーディオ・メッセージング・セッションを、ビデオ・チャネルまたはオーディオ・チャネルおよびビデオ・チャネルの両方を有するセッションに変換する動作と
の少なくとも１つを実行するように構成されたメッセージング・システム
を含むプレゼンス・アウェア通信システム。
【請求項２】
加入者の使用可能な通信デバイスのアドレスに関するメッセージを受信し、前記メッセージング・システムに１つまたは複数の前記アドレスを供給するように構成されたプレゼンス・サーバと、
前記アドレスを保管するように構成されたプレゼンス情報データベースと、
（ａ）着信連絡を受信し、前記プレゼンス・サーバから、前記着信連絡によって示される宛先の電話番号またはアドレスに対応する第１加入者アドレスを受信し、前記着信連絡を前記第１加入者アドレスに向け、（ｂ）前記加入者から発信連絡を受信し、前記発信連絡によって示される前記入力された電話番号またはアドレスに関連するプレゼンス・サーバから、前記入力された電話番号またはアドレスに関連する第２加入者アドレスを受信し、前記発信連絡を前記第２加入者アドレスに向けるように構成されており、前記通信デバイスが満了していない登録されたアドレスを有することおよび前記加入者が、所定の時間期間内に前記通信デバイスを使用したことの少なくとも１つが真である時に、前記加入者の通信デバイスが使用可能と考えられる、プレゼンス・アウェア・テレフォニ・エージェントとをさらに含む、請求項１に記載のプレゼンス・アウェア通信システム。
【請求項３】
前記メッセージング・システムが、動作（ａ）を実行するように構成される、請求項１に記載のプレゼンス・アウェア通信システム。
【請求項４】
前記メッセージング・システムが、前記加入者の通信デバイスが前記着信連絡に関する情報を要求する時に、前記情報を前記加入者の通信デバイスに供給するように構成され、前記メッセージング・システムが、着信連絡を受信するために、前記メッセージング・セッションに一時バージイン・アドレスを割り当てるように構成され、前記加入者の通信デバイスが、前記情報を要求しない時に、前記メッセージング・システムが、連絡する当事者の通信デバイスからメッセージを受信するために、前記着信連絡から発する前記連絡する当事者の通信デバイスとの新しい異なるセッションを開始するように構成され、前記メッセージング・システムが、前記メッセージング・セッションを中断し、前記着信連絡を前記加入者の通信デバイスに接続するように動作可能であり、もたらされた接続が終了された後に、前記メッセージング・システムが、前記加入者の通信デバイスとの前記メッセージング・セッションを継続するように構成される、請求項１に記載のプレゼンス・アウェア通信システム。
【請求項５】
前記メッセージング・システムが、動作（ｂ）を実行するように構成される、請求項２に記載のプレゼンス・アウェア通信システム。
【請求項６】
前記テキスト・メッセージが、通知内にあり、前記メッセージング・システムが、前記加入者の通信デバイスの１つまたは複数の機能に基づいて通知のタイプを判定するように構成され、前記加入者の通信デバイスが、テキスト・メッセージを受信するように構成される時に、前記通知をテキスト・メッセージとして送信し、前記加入者の通信デバイスが、テキスト・メッセージを受信するように構成されない時に、前記メッセージング・システムが、前記メッセージ関連情報を提供するためのオーディオ・セッションを開始するために、前記加入者の通信デバイスに連絡するように構成される、請求項５に記載のプレゼンス・アウェア通信システム。
【請求項７】
前記メッセージング・システムが、動作（ｃ）を実行するように構成される、請求項１に記載のプレゼンス・アウェア通信システム。
【請求項８】
前記メッセージング・システムが、前記加入者の通信デバイスが使用可能と考えられる時に、前記テキスト・メッセージを供給するように構成され、前記テキスト・メッセージが、待っているメッセージの数、待っているメッセージのオリジネータのアイデンティティ、待っているメッセージの受信の時刻、および待っているメッセージの内容の１つまたは複数を含み、前記メッセージング・システムが、前記加入者が構成可能な所定のルールによって許可される時に動作（ｃ）を実行するように構成され、前記加入者の通信デバイスが使用不能と考えられる時に、前記メッセージング・システムが、前記加入者の通信デバイスに前記テキスト・メッセージを与えないように構成され、前記加入者の通信デバイスが、テキスト・メッセージを受信するように構成される時に、前記テキスト・メッセージが送信され、前記加入者の通信デバイスが、テキスト・メッセージを受信するように構成されない時に、前記加入者の通信デバイスが、メッセージ情報を前記加入者の通信デバイスに供給するためのオーディオ・セッションを開始するために前記メッセージング・システムによって連絡されるように、前記メッセージング・システムが、前記加入者の通信デバイスのタイプを判定するように構成される、請求項７に記載のプレゼンス・アウェア通信システム。
【請求項９】
前記メッセージング・システムが、動作（ｄ）を実行するように構成される、請求項１に記載のプレゼンス・アウェア通信システム。
【請求項１０】
前記メッセージング・システムが、前記第２当事者の前記通信デバイスのアドレスに関して前記第２当事者に関連するプレゼンス・サーバに照会するように構成され、前記適格のメッセージが、待っているメッセージ、未再生のメッセージ、未表示のメッセージ、および保管されたメッセージの少なくとも１つであり、前記メッセージング・システムが、前記通知に応答して前記加入者の通信システムが前記少なくとも１つの適格のメッセージを要求する時に、前記加入者の通信デバイスとのメッセージング・セッションを開始するように構成され、前記メッセージング・システムが、前記加入者の通信デバイスおよび前記第２当事者の接続をもたらすように構成される、請求項９に記載のプレゼンス・アウェア通信システム。
【請求項１１】
前記メッセージング・システムが、動作（ｅ）を実行するように構成される、請求項１に記載のプレゼンス・アウェア通信システム。
【請求項１２】
前記メッセージング・システムが、前記加入者に関連するアドレスおよび前記第３当事者に関連するアドレスの両方を有するメッセージを検索するように構成され、前記メッセージング・システムが、加入者が構成可能な所定のルールに基づいて、適格なメッセージのサブセットを形成するために、前記検索で識別されたメッセージをフィルタリングするように構成され、前記メッセージング・システムが、前記少なくとも１つの適格なメッセージを、少なくとも前記加入者に表示するように構成される、請求項１１に記載のプレゼンス・アウェア通信システム。
【請求項１３】
前記メッセージング・システムが、動作（ｆ）を実行するように構成される、請求項１に記載のプレゼンス・アウェア通信システム。
【請求項１４】
前記メッセージング・システムが、前記連絡する当事者の通信デバイスにＵｎｉｖｅｒｓａｌ  Ｒｅｓｏｕｒｃｅ  ＬｏｃａｔｏｒまたはＵＲＬを供給するように構成され、前記オーディオ・セッションが、電話ユーザ・インターフェース・セッションまたはＴＵＩセッションとして構成され、前記ＴＵＩセッションが、前記グラフィカル・ユーザ・インターフェースベースのセッションまたはＧＵＩベースのセッションの前記オーディオ・チャネルになるように構成される、請求項１３に記載のプレゼンス・アウェア通信システム。
【請求項１５】
前記メッセージング・システムが、動作（ｇ）を実行するように構成される、請求項１に記載のプレゼンス・アウェア通信システム。
【請求項１６】
前記メッセージング・システムが、前記連絡する当事者の通信デバイスにＵｎｉｖｅｒｓａｌ  Ｒｅｓｏｕｒｃｅ  Ｌｏｃａｔｏｒを供給し、前記ＵＲＬを含む要求が所定の時間の期間内に受信されない時に、前記メッセージング・システムが、前記連絡する当事者の通信デバイスにｉｎｖｉｔｅメッセージを供給するように構成され、前記ｉｎｖｉｔｅが、オーディオ情報および、前記メッセージング・システムと前記連絡する当事者の通信デバイスとの間のビデオ相互作用に関する情報を含み、前記ビデオ相互作用情報が、前記メッセージング・システムと前記連絡する当事者の通信デバイスとの間のビデオ・チャネルに関する情報および前記メッセージング・システムと前記連絡する当事者の通信デバイスとの間のグラフィカル・ユーザ・インターフェースベースのセッションに関するアプリケーション情報を含み、前記メッセージングが、前記連絡する当事者の通信デバイスがオーディオのみの機能を有すると判定される時に、前記メッセージング・システムと前記連絡する当事者の通信デバイスとの間の前記セッションを電話ユーザ・インターフェース・セッションまたはＴＵＩセッションとして行うように構成され、前記連絡する当事者の通信デバイスがグラフィカル・ユーザ・インターフェースベースのセッションを行うアプリケーションベースの機能を有すると判定される時に、前記メッセージング・システムが、グラフィカル・ユーザ・インターフェースベースのセッションを起動するために、前記連絡する当事者の通信デバイスにＵＲＬを供給するように構成され、前記連絡する当事者の通信デバイスがオーディオ機能およびビデオ機能を有すると判定される時に、前記メッセージング・システムが、前記メッセージング・システムと前記連絡する当事者の通信デバイスとの間の前記セッションを、オーディオ・チャネルおよびビデオ・チャネルの両方を有するセッションに変換するように構成される、請求項１５に記載のプレゼンス・アウェア通信システム。
【請求項１７】
通信を処理する方法であって、
メッセージング・システム、加入者の第１通信デバイス、および第３当事者の第２通信デバイスを設けることと、
（ａ）前記第１通信デバイスと前記メッセージング・システムとの間のメッセージング・セッション中に前記第２通信デバイスからの着信連絡に関する情報を前記第１通信デバイスに与える工程と、
（ｂ）前記第１通信デバイスが使用可能であることの通知が受信される時に、１つまたは複数のメッセージに関する情報を含むテキスト・メッセージを前記第１通信デバイスに与える工程と、
（ｃ）前記メッセージング・システムによって受信された前記第３当事者からの音声メッセージに関するテキスト・メッセージを前記第１通信デバイスに与える工程と、
（ｄ）前記第２通信デバイスの入力された電話番号およびアドレスの少なくとも１つを用いる接続を前記第１通信デバイスが要求することに応答して、前記第３当事者の少なくとも１つの適格のメッセージに関する通知を前記第１通信デバイスに与える工程と、
（ｅ）前記加入者と前記第３当事者の間の連絡が進行中である間に、前記第３当事者からの前記少なくとも１つの適格のメッセージに関する情報を前記第１通信デバイスに与える工程と、
（ｆ）前記メッセージング・システムと前記第３当事者の前記第２通信デバイスの間のオーディオ・メッセージング・セッションを、グラフィック・ユーザ・インターフェースベースのオーディオ・セッションに変換する工程と、
（ｇ）前記オーディオ・メッセージング・セッションを、ビデオ・チャネルまたはオーディオ・チャネルおよびビデオ・チャネルの両方を有するセッションに変換する工程と
の少なくとも１つの工程を実行することとを含む方法。
【請求項１８】
工程（ａ）が実行される、請求項１７に記載の方法。
【請求項１９】
工程（ｂ）が実行される、請求項１７に記載の方法。
【請求項２０】
工程（ｃ）が実行される、請求項１７に記載の方法。
【請求項２１】
工程（ｄ）が実行される、請求項１７に記載の方法。
【請求項２２】
工程（ｅ）が実行される、請求項１７に記載の方法。
【請求項２３】
工程（ｆ）が実行される、請求項１７に記載の方法。
【請求項２４】
工程（ｇ）が実行される、請求項１７に記載の方法。